(57)【要約】【課題】移動シャーシが、撮影や再生のためにカセットやディスクなどを装填する位置までアンローディングしてくる時間や撮影や再生が終了しカセットやディスクを取り去った後、移動シャーシをローディングするまでの時間を早め、使用者に快適な操作感を与える。【解決手段】固定シャーシ２と、記録再生メディア４を収容し、記録再生メディア４による記録再生が可能な第１の位置と前記記録再生メディアを搭載又は取り外し可能な第２の位置との間で固定シャーシ２に対して移動させることができる移動シャーシ１と、記録再生メディア４の有無を判定する判定手段８と、判定手段８による判定に基づいて、移動シャーシ１の移動速度を調整する調整手段とを有する。【選択図】　図１
2004145927.tif 000002
【特許請求の範囲】
【請求項１】
固定シャーシと、
記録再生メディアを収容し、前記固定シャーシに対して、前記記録再生メディアによる記録再生が可能な第１の位置と前記記録再生メディアを搭載又は取り外し可能な第２の位置との間で移動させることができる移動シャーシと、
前記移動シャーシ側に設けられ、前記記録再生メディアが前記移動シャーシ側に有るか否かを判定する判定手段と、
前記判定手段による判定に基づいて、前記移動シャーシの移動速度を調整する調整手段と
を有する記録再生装置。
【請求項２】
前記調整手段は、前記判定手段により前記記録再生メディアが無しと判定された場合の前記移動速度を、前記記録再生メディアが有りと判定された場合の前記移動速度よりも速くする調整を行うことを特徴とする
請求項１に記載の記録再生装置。
【請求項３】
前記記録再生メディアは、テープメディアであり、
前記判定手段は、発光部と、該発光部からの光であって、テープの始端と終端とに設けられた透明部を透過する光と、テープの始端と終端以外の記録再生部を透過する光と、の光量差を検知する光センサ部と、を含むことを特徴とする請求項１又は２に記載の記録再生装置。
【請求項４】
前記記録再生メディアは、ディスクメディアであり、
前記判定手段は、固定シャーシに設けられ、ディスクトレイ上にディスクが搭載されているか否かを検出するディスク検出手段を含むことを特徴とする請求項１又は２に記載の記録再生装置。
【請求項５】
前記記録再生メディアは、ディスクメディアであり、
前記判定手段として、前記記録再生メディアの情報を記録または再生するピックアップユニットを用いることを特徴とする請求項１又は２に記載の記録再生装置。
【請求項６】
メディアパッケージが搭載される移動シャーシと、固定シャーシに配備された記録再生デバイスユニット方向へ移動シャーシが移動することにより、記録再生デバイスユニットにテープ等のメディアがローディングされ、またそれとは、逆方向に移動シャーシが移動させてメディアをアンローディングさせる機構を有する記録再生または再生装置であって、
テープカセット等メディアパッケージが有る時の移動シャーシのローディング速度及びアンローディング速度と比べて、前記メディアパッケージが無い時の移動シャーシのローディング速度及びアンローディング速度を速くすることを特徴とした記録再生装置。
【請求項７】
固定シャーシと、
記録再生メディアを収容し、前記固定シャーシに対して、前記記録再生メディアによる記録再生が可能な第１の位置と前記記録再生メディアを搭載又は取り外し可能な第２の位置との間で移動させることができる移動シャーシと、
前記記録再生メディアの有無を判定する判定手段と
を有する記録再生装置。
【発明の詳細な説明】
【０００１】
【発明の属する技術分野】
本発明は、ＶＴＲ、ＤＡＴ等の帯状磁気記録再生媒体（テープメディア）やＤＶＤ、ＣＤ等円盤状ディスクメディアを利用した記録再生装置に関する。
【０００２】
【従来の技術】
テープメディアを使用した記録再生装置を例に、一般的な記録再生装置の構成について第６及び図７を参照して説明する。図６は、テープメディアを使用した一般的な記録再生装置の平面図であり、第７は図６の側面図である。記録再生装置Ｘを小型化するために、記録再生時には、図７に示すように、メディアパッケージ（以下、「カセット」と称す。）１０４が固定シャーシ１０２に設けられた記録再生デバイスユニット（以下、「回転ドラム」と呼ぶ。）１０３に食い込むように配置させる。カセット１０４の装填時には、移動シャーシ１０１を図６、図７の破線で示される位置まで移動させる方式が一般的である。このように構成することで、ビデオカメラ機器などの記録再生装置の小型化が可能となる。
【０００３】
第６及び図７に示すように、カセット１０４を移動シャーシ１０１に装填した後、移動シャーシ１０１を、固定シャーシ１０２内に設けられた回転ドラム１０３の方向へ移動（ローディング）させ、カセット１０４内に収容されているメディア（以下「テープ」と称する。）１０５が、移動シャーシ１０１の動きと連動しているテープガイド１０６により、固定シャーシ１０２に多数設けられたガイドポスト類１０７及び回転ドラム１０３に巻付けられる。これにより、移動シャーシ１０１上のカセット１０４、テープ１０５および固定シャーシ１０２上の回転ドラム１０３等の位置関係に基づき、記録再生が可能となる。
【０００４】
カセット１０４を取り出す際には、移動シャーシ１０１を、回転ドラム１０３から離れる方向（アンローディング）に移動させ、移動途中においてテープ１０５が弛まないように、移動シャーシ１０１上のリール台（図示せず。）に巻き取られつつ、図６及び図７に示す破線の位置（１０１ａ）まで移動する。
【０００５】
このローディング速度とアンローディング速度とは異なるのが好ましい。ローディング時は、テープ１０５がガイドポスト類１０７に巻き付く際にキズつかない程度の速度であり、アンローディング時は、リール台がテープ１０５を、テープにキズなどの損傷を与えることなく巻き取ることができる程度の速度に決められている。
【０００６】
【発明が解決しようとする課題】
ところで、このローディング速度とアンローディング速度とは、上述したような制約があるため、それ以上の速度向上を計ることは困難であった。特に記録再生機器の小型化のために「移動シャーシ方式」を用いたビデオカメラ機器では、撮影や再生のためにカセット１０４を装填する位置まで移動シャーシ１０１がアンローディングする時間や、撮影や再生が終了しカセット１０４を取り去った後、移動シャーシ１０１のローディング時間が遅いという問題があった。このため、使用者に対してイライラ感を与えるという問題もある。
【０００７】
テープの代わりにコンパクトディスクＣＤやＤＶＤなどのディスク記録媒体（ディスクメディア）用いたＣＤ機器又はＤＶＤ機器においても、記録再生デバイスであるピックアップユニット（以下Ｐ．Ｕと略す。）は、固定されたシャーシ上に具備されており、ディスクメディアは移動可能なトレイ上に設置されている。メディアの記録再生時には、トレイが固定シャーシ上のＰ．Ｕ方向にローディングされ、ディスクメディア取り出し時には、トレイが固定シャーシから機器外に突出し、ディスクのアンローディングが可能になる。このローディング／アンローディングの速度は、トレイ上に載せられたメディアがガタつかない範囲に低速にする必要があり、テープ機器同様使用者にイライラ感を与えるという問題があった。
【０００８】
【課題を解決するための手段】
本発明の一観点によれば、固定シャーシと、記録再生メディアを収容し、前記固定シャーシに対して、前記記録再生メディアによる記録再生が可能な第１の位置と前記記録再生メディアを搭載又は取り外し可能な第２の位置との間で移動させることができる移動シャーシと、前記移動シャーシ側に設けられ、前記記録再生メディアが前記移動シャーシ側に有るか否かを判定する判定手段と、前記判定手段による判定に基づいて、前記移動シャーシの移動速度を調整する調整手段とを有する記録再生装置提供される。
上記記録再生装置によれば、記録再生メディアの有無により、前記移動速度を調整できる。
【０００９】
前記調整手段は、前記記録再生メディアが無しと判定された場合に、前記判定手段により前記記録再生メディアが有りと判定された場合よりも前記移動速度を早めるのが好ましい。これにより、メディア無しの場合に、メディア有りの場合に考慮すべき遅めの移動速度よりも速く移動シャーシを移動させることが可能となる。
【００１０】
【発明の実施の形態】
発明者は、テープ始端とテープの終端とを検出する目的で、従来から使用されている、「スタートセンサ」と「エンドセンサ」とを利用することにより、カセットがシャーシ内に収容されているか否かを判別し、判定の結果、カセットが無いと判断された場合には、移動シャーシを動作させるために設けられているローディングモータの印加電圧を制御し、カセット有りと判断された場合よりも印加電圧を高くすることにより、ローディングモータの回転数を高め、移動シャーシの移動速度を速めることを思い付いた。
【００１１】
また、ディスクメディアを用いた機器の場合は、Ｐ．Ｕ出力とトレイに設置されるディスク検出手段とにより、メディアの有無を判別した後、ディスク無しと判定された場合には、移動シャーシを動作させるローディングモータの印加電圧をディスク有り時よりも高めに制御することによりシャーシ移動時のモータの回転数を高め、移動シャーシ速度を速めることを思い付いた。
【００１２】
上記の考察に基づき、本発明の第１及び第２実施の形態による記録再生装置について図面を参照して説明する。図１は、本発明の第１の実施の形態による記録再生装置の平面図であり、第２は図１の側面図である。図１に示すように、テープを用いた記録再生装置Ａにおいて、スタートセンサ８−ａ、エンドセンサ８−ｂは、移動シャーシ１上にそれぞれ設けられており、同じく、移動シャーシ１上に設けられカセット４の内部に穿たれた穴４−ａに嵌り合う発光素子９から放射された光が、スタートセンサ８−ａ、エンドセンサ８−ｂの位置に対応しカセット４の側面に形成された穴（図示せず）により一定方向に向かう光路１０ａ、１０ｂを形成する。
【００１３】
この光路１０ａ、１０ｂを横断する（遮る）ように、カセット４内のテープ５は巻き込まれているため、カセット４が挿入されていない場合には、発光素子９からの光はスタートセンサ８−ａ、エンドセンサ８−ｂにほぼ同じ光量だけ入射し、センサーによる受光量はほぼ同量となる。また、カセット４が挿入されている場合に、テープ始端である旨を検出するスタートセンサ８−ａが、テープ始端において６５％以上の光透過率を有する透明部５ａにかかり、エンドセンサ８−ｂが、光透過率５％以下の磁気テープ部にかかるため、スタートセンサ８−ａにおいては高光量が、エンドセンサ８−ｂにおいては低光量が得られる。
【００１４】
また、テープ終端であるときは、逆にスタートセンサ８−ａには低光量が、エンドセンサ８−ｂには高光量が得られる。また、始端でも終端でもない場合は、スタートセンサ８−ａ、エンドセンサ８−ｂともに低光量が得られる。従って、カセット４の有無を光量の変化により検知することが出来る。この光量の変化は、実際には電子回路（図示せず）により光量を電気信号強度に変換することにより、明確に判定することが可能である。
【００１５】
加えて、発光素子９、スタートセンサ８−ａ、エンドセンサ８−ｂは、移動シャーシ１内に設けられているため、移動シャーシ１がいかなる位置にあっても、カセット４の有無を判別できる。ローディング方向、アンローディング方向を判別することも可能である。
【００１６】
そこで、上記電子回路に設けられたマイクロコンピュータ（マイコン）ＩＣ（図示せず）にカセットの有無に関する情報を送り、移動シャーシ１を動作させるローディングモータ１１のドライバ回路（図示せず）をコントロールし、カセット４が無いときは、カセットが有る時よりもモータ１１の印加電圧を高めにすることにより、モータ１１の回転数を高め、移動シャーシ１のローディング／アンローディング速度を速めるように制御する。
【００１７】
以上のように、本実施の形態による記録再生装置によれば、テープカセットがシャーシ内に存在するか否かを判定することにより、テープカセットが有る時の移動シャーシのローディング、アンローディング速度より、テープカセットが無い時の移動シャーシのローディング、アンローディング速度を早くするように制御ことができる。これにより、テープが無いにもかかわらず遅めに設定されていた時間であって、撮影や再生のためにカセット４を装填する位置まで移動シャーシ１が移動する時間を早めることができる。同様に、撮影や再生が終了しカセット４を取り去った後、移動シャーシ１の記録再生装置内に収容させる時間も早めることができる。これにより、テープ５がある場合には、ローディング時又はアンローディング時に、テープ５にキズなどの損傷を与えることがない程度の速度で移動シャーシを移動させ、一方、テープ５が無い場合には、移動シャーシの移動速度を速めることにより、使用者に快適な操作感を与えるという利点がある。
【００１８】
次に、本発明の第２の実施の形態による記録再生装置について、ディスクメディアを用いた機器を例に図面を参照して説明する。図３から図５までは、ディスクメディアを用いた機器の場合の、ローディング・アンローディング操作を示す図である。図３から図５までに示すように、筐体３３内の固定シャーシ３４へトレイ３２がローディング・アンローディングされることにより、図３に示すディスクメデイア３５の取り出しをおこなうことができ、または、図５に示す固定シャーシ３４上のＰ．Ｕ３６によるディスクメディア３５の記録再生を行うことができる。
【００１９】
一般的な固定シャーシ３４について動作を説明する。図４に示すように、トレイ３２がローディングされるまでは、固定シャーシ３４は退避されており、トレイ３２がローディングされると、図５に示すように、ディスクメデイア３５をクランプし、記録再生が行われる。また、トレイ３２に関しては、通常はローディング状態（図５に示す状態）である。
【００２０】
次に、図３に示すトレイ３２上にディスクメデイア３５が有るか否かを、トレイ３２に設けられたディスク検出手段３７により判定する。ディスク検出手段３７は、ディスクメディア３５の場合にはテープと異なりカセットに収納されているわけではないため、テープ機器（第１の実施の形態）において説明したような発光素子は不要である。外来光の有無の判断のみが可能な受光素子を用いることもできる。もちろん、発光素子を配置し、ディスクメディア３５の反射光を利用してディスクメディア３５の有無を判定しても良い。このディスク検出手段３７により得られた情報は、前述した機器内回路のマイコン（図示せず）に伝えられ、同様の動作を行う。
【００２１】
すなわち、ディスクメディア３５の有無を判別した後、ディスクメディア３５無しと判定された場合には、移動トレイを動作させるローディングモータの印加電圧をディスク有りと判定された場合よりも高めるように制御することによりトレイ３２を移動させるためのモータ回転数を高め、トレイ３２の移動を速めることができる。
【００２２】
尚、機器のコストダウンや小型化などの理由によりトレイ３２にディスク検出手段３７を設けることができない場合でも、トレイ３２が筐体内に収納されている状態ではＰ．Ｕ３６を動作させることによりディスクメディア３５の有無を検出することができる。従って、Ｐ．Ｕ．３６によりディスクメディア３５の有無を検知でき、少なくともアンローディングの速度のコントロールができる。すなわち、ディスクメディア３５が機器内にある場合には、Ｐ．Ｕ３６を動作させ、例えば、メディア３５からの反射光が得られた時は、機器内に設けられた回路のマイコン（図示せず）によりメディア有りと判断し、トレイ駆動モータ（図示せず）のドライブ回路（図示せず）をコントロールしてトレイ駆動モータの回転数を下げることによりトレイ３２のアンローディングスピードを低速にする。ディスクメディア３５が機器内に無いと判断された場合には、これと逆の動作を実行する。
【００２３】
以上、本実施の形態に沿って説明したが、本発明はこれらの例に限定されるものではなく、種々の変形が可能であるのは言うまでもない。例えば、本実施の形態では、テープメディア又はディスクメディアを記録再生する装置について説明したが、さらに表示装置例えば液晶テレビなどに記録再生機能が付加された電子機器に適用することも可能である。また、記録・再生メディアに関しては、ディスクメディア又はテープメディアに限定されず、メディアを出し入れタイプの電子機器に適用可能である。
【００２４】
【発明の効果】
以上説明したように、機器の小型化のために「移動シャーシ方式」を用いた記録再生装置において、移動シャーシが、撮影や再生のためにカセットやディスクなどを装填する位置までアンローディングする時間や撮影・再生が終了しカセットやディスクを取り去った後、移動シャーシをローディングするまでの時間を早めて、使用者に快適な操作感を与えることが出来る。
【図面の簡単な説明】
【図１】本発明の第１の実施の形態による記録再生装置の平面図である。
【図２】図１の側面図である。
【図３】本発明の第２の実施の形態による記録再生装置の側面図であり、トレイをローヂィング又はアンローディングする動作を示す図である。
【図４】本発明の第２の実施の形態による記録再生装置の側面図であり、固定シャーシが退避された状態を示す図である。
【図５】本発明の第２の実施の形態による記録再生装置の側面図であり、トレイがローディングされ、ディスクメデイアをクランプし、記録再生を行う準備ができた状態を示す図である。
【図６】一般的な記録再生装置の正面図である。
【図７】図６の側面図である。
【符号の説明】
１…移動シャーシ、２…固定シャーシ、４…カセット、８−ａ…スタートセンサ、８−ｂ…エンドセンサ、９…発光素子、１０…光路、１１…ローディングモータ、３２…トレイ、３５…ディスク、３６…ピックアップユニット（Ｐ．Ｕ）、３７…検出手段。
【図１】
2004145927.tif 000003
【図２】
2004145927.tif 000004
【図３】
2004145927.tif 000005
【図４】
2004145927.tif 000006
【図５】
2004145927.tif 000007
【図６】
2004145927.tif 000008
【図７】
2004145927.tif 000009